(57)【要約】      （修正有）【課題】開口部において生地がずれることなく内部への収容物の挿入、及び外部への収容物の取り出しを簡単に行うとともに、収容物の滅菌が可能な滅菌袋を提供する。【解決手段】滅菌袋１内部に収容物が収納されるとともに、収容物を収納した状態で滅菌処理が行われる滅菌袋１であって、略長方形状の第１のフィルム部２と、第１のフィルム部２の第１の辺に沿った第１の方向の一方側で第１のフィルム部２と重なる第２のフィルム部３と、第１のフィルムの第１の方向の他方側で第１のフィルム部２と重なる不織布４と、第１のフィルム部２及び第２のフィルム部３の側縁の一部で開放される開口部７と、開口部７の反対側の側縁に設けられて内側に折れ線を有するマチ部５Ａと、第２のフィルム部３の側縁部と不織布４の側縁部とが剥離可能にシールされた羽根部と、を備え、マチ部５Ａの第２の方向に沿った長さは、羽根部の第１の方向と略直交する第２の方向に沿った長さと異なっている。【選択図】図３
0003195730.tif 000002
【実用新案登録請求の範囲】
【請求項１】
内部に収容物が収納されるとともに、該収容物を収納した状態で滅菌処理が行われる滅菌袋であって、
略長方形状の第１のフィルム部と、
前記第１のフィルム部の第１の辺に沿った第１の方向の一方側で該第１のフィルム部と重なる第２のフィルム部と、
前記第１のフィルムの前記第１の方向の他方側で該第１のフィルム部と重なる不織布と、
前記第１のフィルム部及び前記第２のフィルム部の、前記第１の方向と略直交する第２の方向に沿った側縁の一部で開放される開口部と、
前記開口部の反対側の側縁に設けられて内側に折れ線を有するマチ部と、
前記第２のフィルム部の側縁部と前記不織布の側縁部とが剥離可能にシールされた羽根部と、を備え、
前記マチ部の前記第２の方向に沿った長さは、前記羽根部の前記第２の方向に沿った長さと異なっている、滅菌袋。
【請求項２】
前記収容物は、医療用品である、請求項１に記載の滅菌袋。
【請求項３】
前記滅菌処理が、ガス滅菌処理である請求項１又は２に記載の滅菌袋。
【請求項４】
前記開口部から前記医療用品が収納され、
前記羽根部においてシールされた前記第２のフィルム部の側縁部と前記不織布の側縁部とを剥離することにより開封され、前記医療用品が取り出される、請求項１〜３のいずれか一項に記載の滅菌袋。
【請求項５】
前記第２のフィルム部の側縁部と前記不織布の側縁部とは、端部よりも内側の位置でシールされている、請求項１〜４のいずれか一項に記載の滅菌袋。
【請求項６】
前記第２のフィルム部及び前記不織布は長方形状を有しており、
前記開口部は、前記第１のフィルム部の前記第１の方向の一端で前記第２の方向に延在する端辺と、前記第２のフィルム部の前記第１の方向の一端で前記第２の方向に延在する端辺とによって形成されており、
前記マチ部は、前記第１のフィルム部の前記第１の方向の他端で前記第２の方向に延在する端辺と、前記不織布の前記第１の方向の一端で前記第２の方向に延在する端辺とを接続し、
前記羽根部は、前記第２のフィルム部の前記第１の方向の一端及び前記不織布の前記第１の方向の他端であって、該第２のフィルム部及び不織布の前記第２の方向に延在している、請求項１に記載の滅菌袋。
【請求項７】
前記羽根部の前記第２の方向に沿った長さは、前記マチ部の前記第２の方向に沿った長さよりも狭い、請求項１〜６のいずれか一項に記載の滅菌袋。
【請求項８】
前記羽根部の前記第２の方向に沿った長さは、前記マチ部の前記第２の方向に沿った長さよりも広い、請求項１〜６のいずれか一項に記載の滅菌袋。
【請求項９】
前記羽根部から前記開口部までの距離は、前記羽根部の前記第２の方向に沿った長さよりも長い、請求項１〜８のいずれか一項に記載の滅菌袋。
【請求項１０】
前記第１のフィルム部の前記第１の方向の他端で前記第２の方向に延在する端辺と前記マチ部とはシールによって接続されており、
前記第２のフィルム部の前記第１の方向の他端で前記第２の方向に延在する端辺と前記マチ部とはシールによって接続されている、請求項１〜９のいずれか一項に記載の滅菌袋。
【考案の詳細な説明】
【技術分野】
【０００１】
本考案は、物の出し入れが可能な開口を有するシート状の滅菌袋に関する。
【背景技術】
【０００２】
手術器具、ガーゼ、手術着などの医療用品は、使用前に完全な滅菌処理を施す必要がある。該滅菌処理には、ホルマリン、エチレンオキサイドガス、高圧蒸気滅菌あるいはガンマ線、電子線等の放射線滅菌が用いられ、それぞれ特有の効果を発揮している。このうち、エチレンオキサイドガス滅菌法や放射線滅菌法は、被処理物を包装状態のまま処理できるため、好ましい滅菌方法として採用されている。
滅菌袋は、医療用品を収納して開口部をシールした包装状態で、高圧蒸気滅菌やガス滅菌等の手段により滅菌処理できるとともに、内容物を取り出す際には容易に開封できることが要求される。
このような滅菌袋として、袋体の表裏一方の一部領域に通気性のある不織布を配して袋体を構成し、該不織布を剥離可能にヒートシールしておいて、前記滅菌処理を可能にするとともに、且つ内容物の取り出しの際には前記不織布を容易に剥離して開封できるように構成した滅菌袋が提案されている（特許文献１参照）。
【０００３】
この提案の滅菌袋は、図９に示すように、ポリエチレン樹脂シート１００Ｓとポリエチレン樹脂製の不織布１０５とよりなる四角形状の表生地１０１と、ポリエチレン樹脂シートよりなる四角形状の裏生地１０２とを重ねて、開口部１０３となる一辺を除いて周縁部（側縁部１０６と底部１０７）を接合して袋体１００Ａを形成するとともに、前記表生地１０１の不織布１０５については、裏面（内面側）にヒートシール接着剤をドットパターン状にコートしておいて、側縁部１０５ａを裏生地１０２側のポリエチレン樹脂シートに、上縁部１０５ｂを開口部１０３側のポリエチレン樹脂シート１００Ｓの下端部にヒートシールして剥離可能に接合し、底部１０７側の下縁部１０５ｃを裏生地１０２側のポリエチレン樹脂シートの下端部にヒートシールして接合している。前記不織布１０５の上縁部１０５ｂには、前記ヒートシール部１５２より外側（端縁側）に非接着の把持部１０５ｄが設けられており、該把持部１０５ｄを持って剥離開封できるようになっている。
【先行技術文献】
【特許文献】
【０００４】
【特許文献１】特開平１１−１９２２９３号公報
【考案の概要】
【考案が解決しようとする課題】
【０００５】
しかしながら、上述した滅菌袋では、図１０に示すように、例えば畳んだ手術着のように嵩高い中身が入ると、開口部１０３において表生地１０１と裏生地１０２とがずれてしまい、開口部１０３のヒートシールがうまくできないといった問題があった。
【０００６】
本考案は、このような問題に鑑みてなされたものであり、開口部において生地がずれることなく内部への収容物の挿入、及び外部への収容物の取り出しを簡単に行うとともに、収容物を収納した状態で滅菌が可能な滅菌袋を提供することを目的とする。
【課題を解決するための手段】
【０００７】
［１］
内部に収容物が収納されるとともに、該収容物を収納した状態で滅菌処理が行われる滅菌袋であって、
略長方形状の第１のフィルム部と、
前記第１のフィルム部の第１の辺に沿った第１の方向の一方側で該第１のフィルム部と重なる第２のフィルム部と、
前記第１のフィルムの前記第１の方向の他方側で該第１のフィルム部と重なる不織布と、
前記第１のフィルム部及び前記第２のフィルム部の側縁の一部で開放される開口部と、
前記開口部の反対側の側縁に設けられて内側に折れ線を有するマチ部と、
前記第２のフィルム部の側縁部と前記不織布の側縁部とが剥離可能にシールされた羽根部と、を備え、
前記マチ部の、前記第１の方向と略直交する第２の方向に沿った長さは、前記羽根部の前記第２の方向に沿った長さと異なっている、滅菌袋。
［２］
前記収容物は、医療用品である、［１］に記載の滅菌袋。
［３］
前記滅菌処理が、ガス滅菌処理である［１］又は［２」に記載の滅菌袋。
［４］
前記開口部から前記医療用品が収納され、
前記羽根部においてシールされた前記第２のフィルム部の側縁部と前記不織布の側縁部とを剥離することにより開封され、前記医療用品が取り出される、［１］〜［３］のいずれか一項に記載の滅菌袋。
［５］
前記第２のフィルム部の側縁部と前記不織布の側縁部とは、端部よりも内側の位置でシールされている、［１］〜［４］のいずれか一項に記載の滅菌袋。
［６］
前記第２のフィルム部及び前記不織布は長方形状を有しており、
前記開口部は、前記第１のフィルム部の前記第１の方向の一端で前記第２の方向に延在する端辺と、前記第２のフィルム部の前記第１の方向の一端で前記第２の方向に延在する端辺とによって形成されており、
前記マチ部は、前記第１のフィルム部の前記第１の方向の他端で前記第２の方向に延在する端辺と、前記不織布の前記第１の方向の一端で前記第２の方向に延在する端辺とを接続し、
前記羽根部は、前記第２のフィルム部の前記第１の方向の一端及び前記不織布の前記第１の方向の他端であって、該第２のフィルム部及び不織布の前記第２の方向に延在している、［１］に記載の滅菌袋。
［７］
前記羽根部の前記第２の方向に沿った長さは、前記マチ部の前記第２の方向に沿った長さよりも狭い、［１］〜［６］のいずれか一項に記載の滅菌袋。
［８］
前記羽根部の前記第２の方向に沿った長さは、前記マチ部の前記第２の方向に沿った長さよりも広い、［１］〜［６］のいずれか一項に記載の滅菌袋。
［９］
前記羽根部から前記開口部までの距離は、前記羽根部の前記第２の方向に沿った長さよりも長い、［１］〜［８］のいずれか一項に記載の滅菌袋。
［１０］
前記第１のフィルム部の前記第１の方向の他端で前記第２の方向に延在する端辺と前記マチ部とはシールによって接続されており、
前記第２のフィルム部の前記第１の方向の他端で前記第２の方向に延在する端辺と前記マチ部とはシールによって接続されている、［１］〜［９］のいずれか一項に記載の滅菌袋。
【考案の効果】
【０００８】
本考案によれば、開口部から収容物を挿入するときに、折り曲げられたマチ部及び羽根部に収容物を入り込ませることが可能となるので、内部への収容物の挿入を容易に行うことができる。また、嵩高い収容物であっても開口部においてフィルムがずれることなく、確実にシールすることができる。また、袋の一部が通気性を有する不織布で構成されているので、滅菌性ガスを用いた滅菌処理が可能となる。さらに、第２のフィルム部の側縁部と不織布の側縁部とが剥離可能にシールされているので、第２のフィルム部と不織布とを引きが剥がして開封することができる。これにより本考案では、内部への収容物の挿入及び外部への収容物の取り出しを簡単に行うとともに、収容物を収納した状態で滅菌が可能な滅菌袋を提供することができる。
【図面の簡単な説明】
【０００９】
【図１】本考案に係る第１実施形態の滅菌袋を示す斜視図である。
【図２】（ａ）は図１の滅菌袋を示す平面図である。（ｂ）は（ａ）のＢ−Ｂ線断面図である。
【図３】図１の滅菌袋を裏返し開口部を上に向けた状態を示す斜視図である。
【図４】本考案の滅菌袋に収容物を収容した状態を示す図であり、（ａ）（ｂ）はそれぞれ異なる方向から見た斜視図である。
【図５】本考案の滅菌袋を開封する様子を示す斜視図である。
【図６】本考案に係る第２実施形態の滅菌袋を示す斜視図である。
【図７】図６の滅菌袋を裏返し開口部を上に向けた状態を示す斜視図である。
【図８】（ａ）は図１の滅菌袋における各辺の長さを説明する図である。（ｂ）は図６の滅菌袋における各辺の長さを説明する図である。
【図９】従来の滅菌袋の一例を示す斜視図である。
【図１０】従来の滅菌袋に収容物を収容した状態を示す図である。
【考案を実施するための形態】
【００１０】
以下、図面を参照しつつ本考案に係る滅菌袋の好適な実施形態について詳細に説明する。
【００１１】
（第１実施形態）
図１及び図２に示されるように、本実施形態に係る滅菌袋１は、内部に医療用品が収納されるとともに、医療用品を収納した状態でガス滅菌処理が行われる滅菌袋として利用可能である。滅菌袋１は、略長方形状の第１のフィルム部２と、第１のフィルム部２の第１の辺（辺２Ｂ）に沿った第１の方向（図１中Ｘ方向）の一方側で第１のフィルム部２と重なる第２のフィルム部３と、第１のフィルム部２の第１の方向の他方側で第１のフィルム部２と重なる不織布４と、を備えている。第１のフィルム部２、第２のフィルム部３及び不織布４は長方形状となっており第１のフィルム部２が第２のフィルム部３及び不織布４に対向しているので、滅菌袋１は全体として扁平な形状となっている。
【００１２】
第１のフィルム部２の、前記第１の方向と略直交する第２の方向（図１中Ｙ方向）に沿った長さは、第２のフィルム部３及び不織布４の第２の方向に沿った長さとほぼ同一である。第２のフィルム部３の他方側は内側に折り曲げられ、不織布４の一方側の端部とシールされて、第２のフィルム部３及び不織布４の第２の方向に延在する長方形状の羽根部８を有する。羽根部８の外縁よりもやや内側には接続部６Ａが設けられており、接続部６Ａは羽根部８を構成する第２のフィルム部３と不織布４とをシールによって接続している。
【００１３】
また、滅菌袋１は、第１のフィルム部２の第１の方向の他端で第２の方向に延在する端辺２Ａと、不織布４の第１の方向の他端で第２の方向に延在する端辺４Ｂとを接続する第３のフィルム部５を備えている。
【００１４】
滅菌袋１を構成する第１のフィルム部２、第２のフィルム部３及び第３のフィルム部５の材料としては、単層のものであってもよいが、複数の層から構成されることが好ましい。フィルムが複数の層から構成される場合、例えば、袋状に加工した際に外層をなす基材層と、内層をなすシーラント層と、基材層とシーラント層とを貼り合わせる接着剤層から構成される。又は、外層をなす基材層と、内層をなすシーラント層と、外層と内層の間の中間層をなす基材層と、外層をなす基材層と中間層をなす基材層を貼り合わせる接着剤層と、中間層をなす基材層と内層をなすシーラント層を貼り合わせる接着剤層から構成される材料を用いることができる。
【００１５】
外層をなす基材層及び中間層をなす基材層は、包装材料が充填されたあとに、予期せぬ破袋等が生じないように一定の強度を保つための層である。この基材層を構成するフィルムとしては、ポリプロピレン（以下、ＰＰ）製延伸フィルム、ナイロン６、ナイロン６６、ＭＸＤ６（ポリメタキシリレンアジパミド）などのポリアミドの二軸延伸フィルム、ポリエチレンテレフタレート（以下、ＰＥＴ）、ポリブチレンテレフタレートなどのポリエステル系樹脂の二軸延伸フィルム等が好適に用いられる。また、必要に応じて、エチレン・酢酸ビニル共重合体ケン化物（ＥＶＯＨ）、ポリ塩化ビニリデン（ＰＶＤＣ）、ポリアクリロニトリル（ＰＡＮ）などのフィルムのほか、アルミニウム箔、或いは、シリカ、アルミナ、アルミニウムなどの蒸着層やＰＶＤＣの塗膜層を設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などのガスバリアー性フィルムも用いてもよい。
【００１６】
前記の外層をなす基材層及び中間層をなす基材層との積層には、公知のドライラミネーション法又は押し出しラミネーション法（サンドイッチラミネーション法）を用いることができる。
【００１７】
内層をなすシーラント層は、袋形成のためにシーラント同士が熱接着できるようにするための層である。このシーラント層には、低密度ポリエチレン（ＬＤＰＥ）、直鎖状低密度ポリエチレン（Ｌ・ＬＤＰＥ）のほか、エチレン・αオレフィン共重合体、エチレン・酢酸ビニル共重合体、エチレン・アクリル酸共重合体、エチレン・アクリル酸エステル共重合体、ポリプロピレン又はその共重合体などを使用することができる。
【００１８】
シーラント層の積層は、上記の樹脂をフィルム状に製膜し、ドライラミネーション法又は押し出しラミネーション法で積層する方法、或いは、上記の樹脂を押し出しコートして積層する方法などを採ることができる。
【００１９】
また、本考案の滅菌袋１では、内部に収容物を収納した際に底面となる部分を不織布で構成している。滅菌袋１の一部を、通気性を有する不織布４から構成することで、医療用品等の収容物を内部に収容した状態でガス滅菌が可能になる。
不織布４としては、特に限定されるものではないが、例えばポリオレフィン系不織布が挙げられる。
ポリオレフィン系不織布としてはスパンボンド不織布、メルトブロー法による不織布４、フラッシュ紡糸法によるフィブリル化した３次元網状繊維からなる不織布等が知られている。フラッシュ紡糸法による不織布は構成する繊維が極めて微細かつ複雑な断面形状を持つことを特徴とし、白色度、不透明性、軽量性の特徴を利用して各種用途に用いられつつある。
フラッシュ紡糸は、ポリエチレン等のポリマー／低沸点溶剤の高温、高圧均一溶液をポリマー相分離を経て紡口ノズルより吐出し、急激な溶剤のガス化膨張と冷却作用によりポリマーを繊維化して網目状フィラメント束を形成する方法である。
このような不織布４は、比表面積が１ｍ2 ／ｇ以上であり、かつ空隙率が４０〜７５％であることが好ましい。不織布４の目付量は２０〜２００ｇ／ｍ2 が好ましい。
【００２０】
滅菌袋１において、第３のフィルム部５は、滅菌袋１の内側に折り曲げられるマチ部５Ａを構成している。マチ部５Ａは、内側に折れ線５Ｌを有しており、第１のフィルム部２及び不織布４の第２の方向に延在している。マチ部５Ａは、第１のフィルム部２側に位置する長方形状の折り曲げ領域５ａと、不織布４側に位置する長方形状の折り曲げ領域５ｂとによって構成されている。
【００２１】
マチ部５Ａにおいて、折り曲げ領域５ａの形状及び大きさは、折り曲げ領域５ｂの形状及び大きさとほぼ同一である。また、羽根部８は、不織布４の長方形状の領域４ａと、第２のフィルム部３の長方形状の領域３ａとによって構成されている。領域４ａの形状及び大きさは、領域３ａの形状及び大きさとほぼ同一である。
前記羽根部８の接続部６Ａにおいて、第２のフィルム部３の側縁部と不織布４の側縁部とは、端部よりも内側の位置でシールされている。これにより滅菌袋１を開封する際に、シールされていない、第２のフィルム部３の端部と不織布４の端部とをつまんで引き剥がすことができる。
【００２２】
マチ部５Ａにおける折り曲げ領域５ａの外縁には、折り曲げ領域５ａと第１のフィルム部２とを接続する接続部６Ｂが設けられている。接続部６Ｂは、折り曲げ領域５ａと第１のフィルム部２とをシールによって接続している。また、マチ部５Ａにおける折り曲げ領域５ｂの外縁には、折り曲げ領域５ｂと不織布４とを接続する接続部６Ｃが設けられている。接続部６Ｃは、折り曲げ領域５ｂと不織布４とをシールによって接続している。
【００２３】
第１のフィルム部２における端辺２Ａの他端で第１のフィルム部２の第１の方向に延びる辺２Ｂと、不織布４における端辺４Ｂの他端で不織布４の第１の方向に延びる辺４Ｃとは接続部６Ｄによって接続されている。接続部６Ｄは、第１のフィルム部２の第１の方向に延びる辺２Ｂと、不織布４の第１の方向に延びる辺４Ｃとをシールによって接続する。
【００２４】
第１のフィルム部２の端辺２Ａの一端で第１のフィルム部２の第１の方向に延びる辺２Ｃと、不織布４における端辺４Ｂの一端で不織布４の第１の方向に延びる辺４Ｄとは接続部６Ｅによって接続されている。接続部６Ｅは、上述した接続部６Ｄと同様、第１のフィルム部２の第１の方向に延びる辺２Ｃと不織布４の第１の方向に延びる辺４Ｄとをシールによって接続する。
【００２５】
このように接続部６Ｄ，６Ｅは、マチ部５Ａが内側に折り曲げられた状態において、第１のフィルム部２の第１の方向に延びる２つの辺２Ｂ，２Ｃと、不織布４の第１の方向に延びる２つの辺４Ｃ，４Ｄとを接続する。なお、上述した接続部６Ａ〜６Ｅによるシールは、超音波によるシール機やヒートシールによる製袋機を用いて、フィルムの向き合った内面同士を溶着することによって行われる。
【００２６】
滅菌袋１は、第１のフィルム部２の第１の方向の一端で第２の方向に延在する端辺２Ｄと、第２のフィルム部３の第１の方向の一端で第２の方向に延在する端辺３Ｅとによって形成される開口部７を備えている。開口部７は、第１のフィルム部２及び第２のフィルム部３の側縁の一部で開放されている。この開口部７から滅菌袋１の内部に収容物を挿入することが可能となっている。開口部７は、第１のフィルム部２及び第２のフィルム部３の第２の方向の全長に亘って形成されている。また、開口部７の反対側の側縁にマチ部５Ａが設けられている。
【００２７】
また、滅菌袋１において、羽根部８の領域４ａ，３ａの、第２の方向に沿った長さＣは、マチ部５Ａの折り曲げ領域５ａ，５ｂの、第２の方向に沿った長さＡよりも狭くなっている。すなわち、第２のフィルム部３における羽根部８の、第２の方向に沿った長さＣは、第３のフィルム部５におけるマチ部５Ａの、第２の方向に沿った長さＡよりも狭くなっている。また、羽根部８から開口部７までの距離Ｄは、羽根部８の第２の方向に沿った長さＣよりも長くなっている。よって、滅菌袋１の内部において、開口部７から羽根部８までの領域Ｓが十分に確保されるようになっている。
【００２８】
次に、滅菌袋１に収容物を挿入し、滅菌袋１によって収容物を密閉包装する方法について説明する。収容物の挿入は、手術室等の処置室以外の、別室で行われる。まず、図２（ｂ）に示されるように、第１のフィルム部２が上を向くと共に羽根部８を有する第２のフィルム部３が下を向くように滅菌袋１を配置する。そして、図３に示されるように、開口部７を広げると共に、第２のフィルム部３における羽根部８より開口部７側の部分（領域Ｓを構成する部分）を上方に持ち上げながら羽根部８を滅菌袋１の外側に広げる。これによって、開口部７を上に向けやすくすることが可能となる。
【００２９】
このように開口部７を上に向けた状態で医療用品等の収容物を開口部７から滅菌袋１の内部に挿入する。そして、図４に示されるように領域Ｓで滅菌袋１のシールを行うことによって滅菌袋１を密封する。こうして滅菌袋１によって収容物を密封することが可能となる。
このとき、本考案の滅菌袋１は、開口部７から収容物を挿入するときに、折り曲げられたマチ部５Ａ及び羽根部８に収容物を入り込ませることが可能となるので、嵩高い収容物を入れても、開口部７において第１のフィルム部２と第２のフィルム部３とがずれることなく、領域Ｓでのシールを確実に行うことができる。
【００３０】
本考案の滅菌袋１では、その一部が通気性を有する不織布４から構成されているので、滅菌性ガスを用いた滅菌が可能となる。
本実施形態に係る滅菌方法は、ガス滅菌法であり、ガス種を限定するものではない。ガス滅菌法の場合は、エチレンオキサイド滅菌法が一般的であり、ガス透過性の滅菌袋に封入した後、ガス滅菌を行う。
【００３１】
このような滅菌袋１を用いて例えばエチレンオキサイド等の滅菌用ガスによる滅菌を行う場合、まず、収容物（被滅菌物）が密閉収納された滅菌袋１を滅菌器の滅菌室に入れる。続いて、滅菌室内を陰圧にした後、加温下（約５０℃）で滅菌用ガスを供給し、所定時間その状態を保持する。このとき、滅菌袋１には不織布４を介して滅菌用ガスが充満する。その後、滅菌室内の気体を排出する（真空工程）。次いで、滅菌室に空気を加圧状態になるまで供給する（愎圧工程）。この愎圧工程により滅菌袋１には不織布４を介して空気が充満する。そして、この真空工程と愎圧工程を繰り返すことにより、滅菌袋１内の滅菌用ガスを完全に排出する。
【００３２】
滅菌処理が行われた後、滅菌袋１に封入された状態で手術室等の処置室に運ばれ、その処置室内で袋が開封され、中の収容物が取り出される。
滅菌袋１の中から収容物を取り出すときには、図５に示されるように、羽根部８の部分において第２のフィルム部３の端部と不織布４の端部とを指でつまんで引き剥がす。このとき、第２のフィルム部３の端部と不織布４の端部とはシールされておらず、端部よりも内側の位置（接続部６Ａ）でシールされている。これにより、滅菌袋１を開封する際に、シールされていない、第２のフィルム部３の端部と不織布４の端部とをつまんで簡単に引き剥がすことができる。
また、袋の上部ではなく側部において第２のフィルム部３と不織布４とを引き剥がして開封することで、内部に収納された医療用具をスムーズに滅菌袋１の外に取り出すことができる。例えば折り畳まれた手術着を、袋の上部、例えば開口部７から取り出そうとすると、形が崩れてしまう可能性があるが、側部から取り出すことで形を崩すことなく取り出すことができる。また、第２のフィルム部３と不織布４とを引き剥がして開封することで、袋の一部を切断して開封する場合のようなフィルム片の発生を防止することができる。
【００３３】
以上、滅菌袋１は、開口部７の反対側の側縁に設けられて内側に折れ線５Ｌを有するマチ部５Ａと、第２のフィルム部３と不織布４とが剥離可能にシールされてなる羽根部８とを備えている。よって、開口部７から収容物を挿入するときに、折り曲げられたマチ部５Ａ，羽根部８に収容物を入り込ませることが可能となるので、内部への収容物の挿入を容易に行うことができる。
【００３４】
また、開口部７は、第１のフィルム部２及び第２のフィルム部３における第１の方向の一端に設けられているので、開口部７の面積を広くすることが可能になると共に開口部７の形状を安定させることができる。従って、開口部７に指が引っ掛かる事態の発生を少なくすることができるので、開口部７から滅菌袋１内部への収容物の挿入を簡単に行うことができる。
【００３５】
また、開口部７側の羽根部８の、第２の方向に沿った長さＣは、開口部７の反対側のマチ部５Ａの、第２の方向に沿った長さＡよりも狭くなっている。よって、開口部７側の羽根部８の、第２の方向に沿った長さＣが狭いことによって羽根部８への収容物の引っ掛かりを回避しやすくなるので、滅菌袋１に対する収容物の挿入を簡単に行うことができる。更に、開口部７の反対側に位置するマチ部５Ａの、第２の方向に沿った長さＡが広くなっているので、滅菌袋１の内部における底側の部分の領域を大きくすることができ、底側の部分における収容物の位置の自由度を高めることができる。
【００３６】
また、羽根部８から開口部７までの距離Ｄは、羽根部８の第２の方向に沿った長さＣよりも長くなっている。このように開口部７から羽根部８までの距離Ｄを長くすることによって、開口部７をより上方に位置させることができる。従って、収容物の挿入をより簡単に行うことができる。
【００３７】
また、距離Ｄを、羽根部８の第２の方向に沿った長さＣよりも長くすることによって、滅菌袋１に収容された収容物の影響を開口部７が受けにくくなるので、開口部７の形状をより安定させることができる。従って、開口部７から滅菌袋１内部への収容物の挿入をより簡単に行うことができ、更に開口部７のシールや滅菌袋１の開封を簡単に行うことも可能となる。また、距離Ｄを、羽根部８の第２の方向に沿った長さＣよりも長くすることによって領域Ｓを大きく確保できるので、本実施形態のように滅菌袋１で密閉包装を行う場合には、包装を行うにあたって必要な領域を確保することができる。
【００３８】
また、第１のフィルム部２の第１の方向の他端で、第２の方向に延在する端辺２Ａとマチ部５Ａとは接続部６Ｂのシールによって接続されており、不織布４の第１の方向の他端で、第２の方向に延在する端辺４Ｂとマチ部５Ａとは接続部６Ｃのシールによって接続されている。よって、第１のフィルム部２及び不織布４に対してマチ部５Ａがシールによって接続されていることとなるので、マチ部５Ａの補強効果を高めることができる。また、接続部６Ｂ，６Ｃのシールによって第１のフィルム部２と不織布４とがより安定して接続することとなり、滅菌袋１の形状を安定させることができる。
【００３９】
（第２実施形態）
図６及び図７に示されるように、第２実施形態に係る滅菌袋２１は、羽根部８，マチ部５Ａとは第２の方向に沿った長さが異なる羽根部２８及びマチ部２５Ａを備える点が、第１実施形態に係る滅菌袋１と異なっている。すなわち、滅菌袋２１では、開口部７側に位置する羽根部２８の、第２の方向に沿った長さＣが、開口部７の反対側に位置するマチ部２５Ａの、第２の方向に沿った長さＡよりも広くなっている。
【００４０】
この滅菌袋２１では、開口部７側の羽根部２８の第２の方向に沿った長さＣが、マチ部２５Ａの第２の方向に沿った長さＡよりも広くなっているので、収容物は挿入時に羽根部２８に入り込みやすくなる。また、羽根部２８の第２の方向に沿った長さＣが広い第２実施形態では、羽根部２８を下にして開口部７を持ち上げたときに羽根部２８が開口部７を支持しやすくなるので、第１実施形態よりも開口部７を上に向けやすくすることができる。従って、上から収容物を滅菌袋１の内部に挿入することが可能となるので、滅菌袋１の内部への収容物の挿入を一層容易に行うことができる。
【００４１】
次に、図８を参照しながら、第１実施形態に係る滅菌袋１における各部の好ましい寸法について説明する。以下の第実施例では、図８（ａ）に示されるように、滅菌袋１におけるマチ部５Ａの第２の方向に沿った長さをＡ１、マチ部５Ａから羽根部８までの距離をＢ１、羽根部８の第２の方向に沿った長さをＣ１、羽根部８から開口部７までの距離をＤ１、第１のフィルム部２及び第２のフィルム部３の、第２の方向における開口部７の長さをＥ１、とする。
【００４２】
（第１実施例）
本実施例において、滅菌袋１の内部に挿入する収容物は、医療用品として、ガーゼ、医療用テープ、はさみ及び注射器である。この第１実施例では、Ａ１＝５０ｍｍ、Ｂ１＝１８０ｍｍ、Ｃ１＝３０ｍｍ、Ｄ１＝９０ｍｍ、Ｅ１＝２８０ｍｍであることが好ましい。この場合、羽根部８の第２の方向に沿った長さＣ１に対する、マチ部５Ａの第２の方向に沿った長さＡ１の比率は約１．７となる。
【００４３】
このような滅菌袋１では、開口部７が第１のフィルム部２及び第２のフィルム部３の第１の方向の端部にあり、開口部７を広くして、且つ開口部７側の羽根部８の第２の方向に沿った長さＣ１がマチ部５Ａの第２の方向に沿った長さＡ１よりも狭くなっている。よって、収容物である医療用品を開口部７から挿入することができる。なお、収容物の挿入は、手術室等の処置室以外の、別室で行われる。また、マチ部５Ａの第２の方向に沿った長さＡ１が、羽根部８の第２の方向に沿った長さＣ１よりも広いので、滅菌袋１の奥部に広い空間を形成することができ、例えば折り畳んだガーゼ、或いは手術着のように嵩高い中身を入れても、ヒートシール箇所がずれなくて、確実にヒートシールできる。
【００４４】
包装した滅菌袋１に対して、酸化エチレンガスを用いたガス滅菌処理を実施した。このような滅菌袋１では、袋の底部が通気性を有する不織布４から構成されているので、包装されたまま医療用品を滅菌処理することができる。また、袋に包装されたままなので、滅菌処理後に汚染されることなく、医療用品を手術室等の処置室に運ぶことができる。
さらに、この滅菌袋１では、袋側部において第２のフィルム部３と不織布４とを上下に引きはがすことにより開封されるので、内部に収容されている医療用品をスムーズに取り出すことができる。例えば折り畳まれたガーゼ、或いは手術着の場合、形を崩すことなく取り出すことができる。
【００４５】
次に、図８（ｂ）を参照しながら、第２実施形態に係る滅菌袋２１における各部の好ましい寸法について第２実施例として説明する。第２実施例では、図８（ｂ）に示されるように、滅菌袋２１における、マチ部２５Ａの第２の方向に沿った長さをＡ２、マチ部２５Ａから羽根部２８までの距離をＢ２、羽根部２８の第２の方向に沿った長さをＣ２、羽根部２８から開口部７までの距離をＤ２、第１及び第２のフィルム部２，３の第２の方向における開口部７の長さをＥ２、とする。
【００４６】
（第２実施例）
第２実施例において、滅菌袋２１の内部に挿入する収容物は、医療用品として、折り畳まれた手術着である。この第２実施例では、Ａ２＝３０ｍｍ、Ｂ２＝１７０ｍｍ、Ｃ２＝５０ｍｍ、Ｄ２＝１１０ｍｍ、Ｅ２＝３６０ｍｍであることが好ましい。この場合、羽根部２８の第２の方向に沿った長さＣ２に対する、マチ部２５Ａの第２の方向に沿った長さＡ２の比率は約０．６となる。
【００４７】
このような滅菌袋２１では、開口部７が第１及び第２のフィルム部２，３の第１の方向の端部にあり開口部７を広くしているので、嵩高い内容物を簡単に出し入れすることができる。
さらに、この滅菌袋２１では、袋側部において第２のフィルム部３と不織布４とを上下に引きはがすことにより開封されるので、内部に収容されている医療用品をスムーズに取り出すことができる。例えば折り畳まれた手術着の場合、形を崩すことなく取り出すことができる。
【００４８】
本考案は、上述した実施形態に限定されず、本考案の要旨を変更しない範囲で種々の変形が可能である。
【００４９】
上記実施形態では、図１に示されるように、接続部６Ａ〜６Ｅがいずれもシールによる接続を行っていた。しかし、接続部６Ａ〜６Ｃの少なくともいずれかにおける第１のフィルム部２及び第２のフィルム部３の第２の方向に延びる箇所については、折り込みによる接続とすることも可能である。また、接続部６Ａ〜６Ｃにおける上記第２の方向に延びる箇所を全て折り込みとした場合には、第２のフィルム部３の端辺３Ｅから第１のフィルム部２の端辺２Ｄまでが１枚のフィルムとなる。この場合、滅菌袋１全体が１枚のフィルムで形成されるので、滅菌袋１の製造工程の簡略化が可能になると共に製造等のコストの低減に寄与する。
【００５０】
上記実施形態では、長方形状をなす第１のフィルム部２において、第１の方向（図１中Ｘ方向）に延在する第１の辺（辺２Ｂ）が、第２の方向（図１中Ｙ方向）に延在する第２の辺（辺２Ｃ）よりも長い場合を例に挙げて説明したが、本発明はこれに限定されず、第２の辺が、第１の辺よりも長い長方形状であってもよい。
また、上記実施形態では、第１のフィルム部２、第２のフィルム部３及び不織布４が長方形状となっている例について説明したが、第１のフィルム部２、第２のフィルム部３及び不織布４の形状と大きさは適宜変更可能である。形状として長方形状以外に四角形状、台形状，平行四辺形状などであってもよい。
【００５１】
上記実施形態では、不織布４は滅菌袋の底面となっている例について説明したが、底面以外にマチ部にあってもよい。
【００５２】
上記実施形態では、滅菌袋が、収容物を内部に収納した状態で滅菌処理を行うことが可能な滅菌袋である例について説明したが、滅菌袋以外の袋に対しても本考案を適用させることができる。また、本考案に係る滅菌袋には、医療用品以外の収容物を収容させることも可能であり、収容物として例えばウェットティッシュといった小物等を収容してもよい。
【符号の説明】
【００５３】
１    滅菌袋
２    第１のフィルム部
３    第２のフィルム部
４    不織布
５    第３のフィルム部
５Ａ    マチ部
７    開口部
８    羽根部
【図１】
0003195730.tif 000003
【図２】
0003195730.tif 000004
【図３】
0003195730.tif 000005
【図４】
0003195730.tif 000006
【図５】
0003195730.tif 000007
【図６】
0003195730.tif 000008
【図７】
0003195730.tif 000009
【図８】
0003195730.tif 000010
【図９】
0003195730.tif 000011
【図１０】
0003195730.tif 000012
【手続補正書】
【提出日】平成26年12月10日(2014.12.10)
【手続補正１】
【補正対象書類名】明細書
【補正対象項目名】０００７
【補正方法】変更
【補正の内容】
【０００７】
［１］
内部に収容物が収納されるとともに、該収容物を収納した状態で滅菌処理が行われる滅菌袋であって、
略長方形状の第１のフィルム部と、
前記第１のフィルム部の第１の辺に沿った第１の方向の一方側で該第１のフィルム部と重なる第２のフィルム部と、
前記第１のフィルムの前記第１の方向の他方側で該第１のフィルム部と重なる不織布と、
前記第１のフィルム部及び前記第２のフィルム部の側縁の一部で開放される開口部と、
前記開口部の反対側の側縁に設けられて内側に折れ線を有するマチ部と、
前記第２のフィルム部の側縁部と前記不織布の側縁部とが剥離可能にシールされた羽根部と、を備え、
前記マチ部の、前記第１の方向と略直交する第２の方向に沿った長さは、前記羽根部の前記第２の方向に沿った長さと異なっている、滅菌袋。
［２］
前記収容物は、医療用品である、［１］に記載の滅菌袋。
［３］
前記滅菌処理が、ガス滅菌処理である［１］又は［２」に記載の滅菌袋。
［４］
前記開口部から前記収容物が収納され、
前記羽根部においてシールされた前記第２のフィルム部の側縁部と前記不織布の側縁部とを剥離することにより開封され、前記収容物が取り出される、［１］〜［３］のいずれか一項に記載の滅菌袋。
［５］
前記第２のフィルム部の側縁部と前記不織布の側縁部とは、端部よりも内側の位置でシールされている、［１］〜［４］のいずれか一項に記載の滅菌袋。
［６］
前記第２のフィルム部及び前記不織布は長方形状を有しており、
前記開口部は、前記第１のフィルム部の前記第１の方向の一端で前記第２の方向に延在する端辺と、前記第２のフィルム部の前記第１の方向の一端で前記第２の方向に延在する端辺とによって形成されており、
前記マチ部は、前記第１のフィルム部の前記第１の方向の他端で前記第２の方向に延在する端辺と、前記不織布の前記第１の方向の一端で前記第２の方向に延在する端辺とを接続し、
前記羽根部は、前記第２のフィルム部の前記第１の方向の一端及び前記不織布の前記第１の方向の他端であって、該第２のフィルム部及び不織布の前記第２の方向に延在している、［１］に記載の滅菌袋。
［７］
前記羽根部の前記第２の方向に沿った長さは、前記マチ部の前記第２の方向に沿った長さよりも狭い、［１］〜［６］のいずれか一項に記載の滅菌袋。
［８］
前記羽根部の前記第２の方向に沿った長さは、前記マチ部の前記第２の方向に沿った長さよりも広い、［１］〜［６］のいずれか一項に記載の滅菌袋。
［９］
前記羽根部から前記開口部までの距離は、前記羽根部の前記第２の方向に沿った長さよりも長い、［１］〜［８］のいずれか一項に記載の滅菌袋。
［１０］
前記第１のフィルム部の前記第１の方向の他端で前記第２の方向に延在する端辺と前記マチ部とはシールによって接続されており、
前記第２のフィルム部の前記第１の方向の他端で前記第２の方向に延在する端辺と前記マチ部とはシールによって接続されている、［１］〜［９］のいずれか一項に記載の滅菌袋。
【手続補正２】
【補正対象書類名】実用新案登録請求の範囲
【補正対象項目名】全文
【補正方法】変更
【補正の内容】
【実用新案登録請求の範囲】
【請求項１】
内部に収容物が収納されるとともに、該収容物を収納した状態で滅菌処理が行われる滅菌袋であって、
略長方形状の第１のフィルム部と、
前記第１のフィルム部の第１の辺に沿った第１の方向の一方側で該第１のフィルム部と重なる第２のフィルム部と、
前記第１のフィルムの前記第１の方向の他方側で該第１のフィルム部と重なる不織布と、
前記第１のフィルム部及び前記第２のフィルム部の、前記第１の方向と略直交する第２の方向に沿った側縁の一部で開放される開口部と、
前記開口部の反対側の側縁に設けられて内側に折れ線を有するマチ部と、
前記第２のフィルム部の側縁部と前記不織布の側縁部とが剥離可能にシールされた羽根部と、を備え、
前記マチ部の前記第２の方向に沿った長さは、前記羽根部の前記第２の方向に沿った長さと異なっている、滅菌袋。
【請求項２】
前記収容物は、医療用品である、請求項１に記載の滅菌袋。
【請求項３】
前記滅菌処理が、ガス滅菌処理である請求項１又は２に記載の滅菌袋。
【請求項４】
前記開口部から前記収容物が収納され、
前記羽根部においてシールされた前記第２のフィルム部の側縁部と前記不織布の側縁部とを剥離することにより開封され、前記収容物が取り出される、請求項１〜３のいずれか一項に記載の滅菌袋。
【請求項５】
前記第２のフィルム部の側縁部と前記不織布の側縁部とは、端部よりも内側の位置でシールされている、請求項１〜４のいずれか一項に記載の滅菌袋。
【請求項６】
前記第２のフィルム部及び前記不織布は長方形状を有しており、
前記開口部は、前記第１のフィルム部の前記第１の方向の一端で前記第２の方向に延在する端辺と、前記第２のフィルム部の前記第１の方向の一端で前記第２の方向に延在する端辺とによって形成されており、
前記マチ部は、前記第１のフィルム部の前記第１の方向の他端で前記第２の方向に延在する端辺と、前記不織布の前記第１の方向の一端で前記第２の方向に延在する端辺とを接続し、
前記羽根部は、前記第２のフィルム部の前記第１の方向の一端及び前記不織布の前記第１の方向の他端であって、該第２のフィルム部及び不織布の前記第２の方向に延在している、請求項１に記載の滅菌袋。
【請求項７】
前記羽根部の前記第２の方向に沿った長さは、前記マチ部の前記第２の方向に沿った長さよりも狭い、請求項１〜６のいずれか一項に記載の滅菌袋。
【請求項８】
前記羽根部の前記第２の方向に沿った長さは、前記マチ部の前記第２の方向に沿った長さよりも広い、請求項１〜６のいずれか一項に記載の滅菌袋。
【請求項９】
前記羽根部から前記開口部までの距離は、前記羽根部の前記第２の方向に沿った長さよりも長い、請求項１〜８のいずれか一項に記載の滅菌袋。
【請求項１０】
前記第１のフィルム部の前記第１の方向の他端で前記第２の方向に延在する端辺と前記マチ部とはシールによって接続されており、
前記第２のフィルム部の前記第１の方向の他端で前記第２の方向に延在する端辺と前記マチ部とはシールによって接続されている、請求項１〜９のいずれか一項に記載の滅菌袋。